(57)【要約】【課題】本発明は指定ウェブサイト及び指定ウェブページ認識を通じるコンテンツ表示装置及び方法に関する。【解決手段】本発明では、少なくとも一つの指定ウェブサイト及びウェブページ情報と少なくとも一つの広告コンテンツをマッチングして貯蔵されているデータベースを含む運営サーバーと、上記運営サーバーで提供する使用者プログラムが具備されている使用者端末器を含み、上記使用者端末器で指定ウェブサイトのウェブページ上の設定された領域に設定されたマウスアクションが感知される場合、上記指定ウェブサイトのウェブページとマッチングされた広告コンテンツを出力させることを特徴とする指定ウェブサイト及び指定ウェブページ認識を通じるコンテンツ表示装置及び該を用いた方法が提示される。【選択図】図１
2013533560.tif 000002
【特許請求の範囲】
【請求項１】
通信手段を用いて使用者端末器に出力させる少なくとも一つの指定ウェブサイト及びウェブページ情報と少なくとも一つの広告コンテンツをマッチングして貯蔵されているデータベースを含む運営サーバーと、
上記使用者端末器に設置し貯蔵され、上記使用者端末器のハードウェア資源を活用して上記指定ウェブサイト情報を認知してあらかじめ設定されたマウスアクションを感知して上記運営サーバーと通信できる使用者プログラムを含み、
上記使用者端末器で指定ウェブサイトのウェブページ上の設定された領域に設定されたマウスアクションが感知される場合、上記運営サーバーで上記使用者端末器に上記指定ウェブサイトのウェブページとマッチングされた広告コンテンツを出力させることを特徴とする指定ウェブサイト及び指定ウェブページ認識を通じるコンテンツ表示装置。
【請求項２】
通信手段を用いて使用者端末器に出力させる少なくとも一つの指定ウェブサイト及びウェブページ情報と少なくとも一つの広告コンテンツをマッチングして貯蔵されているデータベースを含む運営サーバーと、
上記使用者端末器に設置し貯蔵され、上記使用者端末器のハードウェア資源を活用して上記指定ウェブサイト情報を認知して少なくとも一つの中間媒体が貯蔵されている上記運営サーバーと通信できる使用者プログラムを含み、
上記使用者端末器で指定されたウェブサイトに接続されるとキャラクターのような少なくとも一つの中間媒体を出力させ、上記中間媒体に信号入力があるか設定時間が経過すると上記運営サーバーで上記使用者端末器に上記ウェブサイトのウェブページとマッチングされた広告コンテンツを出力させることを特徴とする指定ウェブサイト及び指定ウェブページ認識を通じるコンテンツ表示装置。
【請求項３】
請求項 1 または 2において、
上記運営サーバーは広告料課金処理部を更に含み、
上記使用者端末器で出力される広告コンテンツと関連された広告料を計算して貯蔵することを特徴とする指定ウェブサイト及び指定ウェブページ認識を通じるコンテンツ表示装置。
【請求項４】
請求項 3において、
上記広告料の計算は上記使用者端末器に出力された上記広告コンテンツの露出時間に基づいて計算されることを特徴とする指定ウェブサイト及び指定ウェブページ認識を通じるコンテンツ表示装置。
【請求項５】
請求項 1 または 2において、
上記運営サーバーは使用者ポイント管理部を更に含み、
上記使用者端末器から出力される広告コンテンツと関連された使用者ポイントを計算して貯蔵することを特徴とする指定ウェブサイト及び指定ウェブページ認識を通じるコンテンツ表示装置。
【請求項６】
請求項 5において、
上記使用者ポイントの計算は、上記使用者端末器に出力された上記広告コンテンツの露出時間に基づいて計算されることを特徴とする指定ウェブサイト及び指定ウェブページ認識を通じるコンテンツ表示装置。
【請求項７】
請求項 1 または請求項 2において、
上記使用者プログラムは、
上記使用者端末器のマウスポインタの位置を感知して認識するための位置認識部と、上記マウスのクリックなどのアクションを感知するためのマウスアクション認識部と、各種キャラクターなどの形状をしてコンピューター画面上でアニメーション機能が具現可能に中間媒体を貯蔵するための中間媒体貯蔵部と、上記使用者端末器が接続されたウェブサイト情報及びウェブページ情報を認識するための指定サイト情報貯蔵部と、上記使用者端末器から露出される広告コンテンツの露出時間を計算するためのタイムチェック部と、マウスアクションなどを設定するための使用者設定部を含むことを特徴とする指定ウェブサイト及び指定ウェブページ認識を通じるコンテンツ表示装置。
【請求項８】
使用者端末器で何れのウェブサイトに接続する段階と、上記使用者端末器で上記接続されたウェブサイトが運営サーバーに貯蔵されている指定ウェブサイトと一致するかを判断する段階と、指定ウェブサイトである場合に上記使用者端末器で現在接続されているウェブページ情報を認識する段階と、上記使用者端末器で接続されたウェブページ上でのマウスのアクションを感知する段階と、上記使用者端末器で上記感知されたマウスアクションが設定されたアクションであるかを判断する段階と、上記マウスアクションが設定されたアクションであると判断された場合に上記使用者端末器で上記マウスポインタの上記ウェブページ上の位置が指定された位置であるかを判断する段階と、上記アクションが発生したマウスポインタの位置が指定された位置である場合に上記接続されたウェブページ上で広告コンテンツを出力させる段階を含む指定ウェブサイト及び指定ウェブページ認識を通じるコンテンツ表示方法。
【請求項９】
使用者端末器で何れのウェブサイトに接続する段階と、上記使用者端末器で上記接続されたウェブサイトが運営サーバーに貯蔵されている指定ウェブサイトと一致するかを判断する段階と、指定ウェブサイトである場合に上記使用者端末器で現在接続されているウェブページ情報を認識する段階と、上記使用者端末器で上記認識されたウェブページが指定されたウェブページであるかを判断する段階と、上記ウェブページが指定されたウェブページである場合に、上記使用者端末器で上記現在接続されたウェブページ上に中間媒体を出力させる 段階と、上記使用者端末器で上記ウェブページ上に出力された中間媒体に信号入力があるか設定時間の経過するかを判断する段階と、
上記中間媒体に信号入力があるか設定時間が経過される場合に上記接続されたウェブページ上に広告コンテンツを出力させる段階を含む指定ウェブサイト及び指定ウェブページ認識を通じるコンテンツ表示方法。
【請求項１０】
請求項 8 または請求項 9において、
上記接続されたウェブページ上に新しいウィンドーで広告コンテンツを出力させる段階の遂行後、
上記使用者端末器で上記全体広告コンテンツの露出が完了されたかを判断する段階と、上記広告コンテンツの露出が完了された場合に上記使用者端末器で広告コンテンツ露出時間をチェックする段階と、上記使用者端末器で上記広告コンテンツ露出時間が設定された時間以上であるかを判断する段階と、上記広告コンテンツが設定時間以上に露出されていると判断された場合に上記使用者端末器で広告コンテンツ露出が終了されているかを判断する段階と、上記接続されたウェブページ上で広告コンテンツの露出が終了された場合に上記使用者端末器で感知された広告コンテンツ露出時間に関するタイムデータを上記運営サーバーに送信する段階と、上記運営サーバーで上記使用者端末器から送信されたタイムデータに基づいて広告料と使用者ポイントを計算して貯蔵する段階を含む指定ウェブサイト及び指定ウェブページ認識を通じるコンテンツ表示方法。
【発明の詳細な説明】
【技術分野】
【０００１】
本発明はウェブサイト内で外部コンテンツを出力させるための装置及びその方法に関する。 更に詳しくは少なくとも一つの指定されたウェブサイトに接続された使用者端末器で設定されたマウスアクションと設定されたウェブページ上の位置または領域を感知してコンテンツを出力させるための装置及びその方法に関する。
【背景技術】
【０００２】
インターネットが底変化されながらインターネットを用いた広告方法が多いに開発されて使われている。 検索語入力マッチング広告露出方法、有名サイト内のバナー広告方法など多様な広告がインターネットウェブサイト内で成り立っている。特に、使用者端末器に広告コンテンツを露出させる方法中の一つでコンピューターマウスポインタのアクションを感知して設定されたアクションである場合に、広告コンテンツを露出させる方法がある。
【０００３】
上記広告方法の中一つが、特許文献１で「マウスポインタを用いた透明なバナー広告方法」が開示されている。
【０００４】
上記公開発明は、ウェブサーバーが各ウェブサイトの見えないバナー広告を提供してネチズンがマウスを該当のバナー広告に移動させると見えなかったバナー広告がウェブサイトの空いている空間に突出されてネチズンが該当バナー広告を見るようになるマウスポインタを用いた透明なバナー広告方法に関する。 ウェブサイトに固定されるかランダムに載せられた透明なバナー広告がネチズンのマウスポインタと合う場合に該当のウェブサイトの所定部分に透明なバナー広告を突出させることによりネチズンの関心を集中させて広告効果が向上させられ、該当ウェブサイトに透明なバナー広告を載せてネチズンの関心を集中させることにより多い広告収入が得られるようになった発明である。
【０００５】
しかし、上記公開発明は特定ウェブサイトにマウスポインタが位すると現われる広告であって、使用者の意思とは無関係に広告を露出させる問題点がある。 また、上記公開発明である場合に、使用者はマウスポインタの移動によって現われる広告によってネットサーフィン中に注意の分散する問題点がある。
【０００６】
従って、使用者端末器でサーバーが指定したウェブサイト及びウェブページを認識し、マウスポインタの特定アクションに従って使用者の意思により広告を見て、広告を見ると利益が得られる装置及び方法の開発が要望される。
【先行技術文献】
【特許文献】
【０００７】
【特許文献１】韓国特許公開第10-2000-0054808号(2000年9月5日)
【発明の概要】
【発明が解決しようとする課題】
【０００８】
本発明は、上記従来技術の問題点を解決するためであって、本発明の目的は指定されたウェブサイト及びウェブページでマウスポインタの設定されたアクションと上記ウェブページ上の設定された位置または領域を認識してコンテンツを露出させ、使用者の意思による利益を提供する装置及び方法を提供することである。
【０００９】
本発明の別の目的は指定されたウェブサイトの指定されたウェブページを認識して中間媒体(デジタルキャラクターなど)を露出させ、上記中間媒体を通じてコンテンツを露出させて使用者の意思による利益を提供する装置及び方法を提供することである。
【課題を解決するための手段】
【００１０】
上記本発明の目的を果たすための技術的解決手段として、本発明では、使用者端末器と、上記使用者端末器と通信網を通じて接続される運営サーバーと上記運営サーバーと接続される各種データを貯蔵しているデータベース部を含むシステムであって、上記運営サーバーは、上記使用者端末器に設置されるプログラムを貯蔵するための使用者プログラム貯蔵部と、上記使用者端末器が接続してサービスが受けられるウェブサイトデータを貯蔵し、運営ウェブサイト情報貯蔵部と、広告主の広告料を精算処理するための広告主課金処理部と、使用者のポイントを管理するための使用者ポイント管理部を含み; 上記データベース部は少なくとも一つの広告コンテンツを貯蔵するための広告データベースと、上記運営サーバーで指定した少なくとも一つのウェブサイト及びウェブページ情報を具備し、上記広告コンテンツと上記ウェブサイト情報及びウェブページ情報を連携して作成されるテーブルを具備しているサイトデータベース部を含み; 上記使用者端末器はマウスポインタの位置を追跡して認識するための位置認識部と、上記マウスのクリックなどのアクションを感知するためのマウスアクション認識部と、各種キャラクターなどの形状でコンピューター画面上にアニメーション機能を具現するための中間媒体貯蔵部と、上記サイトデータベースに貯蔵されているウェブサイト情報及びウェブページ情報を認識するための指定サイト情報貯蔵部と、上記使用者端末器から露出される広告コンテンツの露出時間を計算するためのタイムチェック部と、マウスアクションなどを設定するための使用者設定部を含む使用者プログラムが含まれていることを特徴とする指定ウェブサイト及び指定ウェブページ認識を通じるコンテンツ表示装置及び上記装置を用いた方法が提示される。
【発明の効果】
【００１１】
本発明によると、指定されたウェブサイト及びウェブページでマウスポインタの位置及びアクションを認識してコンテンツを露出させ、使用者の意思による利益を提供する広告装置及び方法が具現され、または、指定されたウェブサイトの指定されたウェブページを認識して中間媒体(デジタルキャラクターなど)を露出させ、上記中間媒体を通じてコンテンツを露出させて使用者の意思による利益を提供する広告装置及び方法が具現されることにより使用者は自記意思によって広告を見てその広告を見る対価で利益が得られ、広告主は使用者の意思によって広告を見るから広告に対する集中度が高くてより高い広告効果が得られる効果がある。
【図面の簡単な説明】
【００１２】
【図１】本発明の指定ウェブサイト及び指定ウェブページ認識を通じるコンテンツ表示装置の実施例に関する概略的な構成図である。
【図２】図1の実施例に使用される指定ウェブサイトまたは指定ウェブページと広告コンテンツのマッチングテーブルの例示図である。
【図３】指定ウェブサイト及び指定ウェブページ認識を通じるコンテンツ表示方法の実施例を説明するための流れ図である。
【図４】指定ウェブサイト及び指定ウェブページ認識を通じるコンテンツ表示方法の別の実施例を説明するための流れ図である。
【発明を実施するための形態】
【００１３】
以下で本発明の実施例に関する発明の構成を添付された図面を参照して詳しく説明する。
【００１４】
まず、本発明の理解のために本願で用いられる用語を定義する。 運営ウェブサイトは本発明の運営サーバー側から提供するウェブサイトである。接続または接続されたウェブサイトは使用者端末器で接続した特定ウェブサイトを意味する。
ウェブページまたは接続ウェブページは上記接続ウェブサイト内のウェブページを意味する。 指定または指定されたウェブサイト及びウェブページは上記運営サーバーで広告コンテンツと連携し貯蔵した少なくとも一つのウェブサイト情報及びウェブページ情報である。
【００１５】
図1は、本発明の指定ウェブサイト及び指定ウェブページ認識を通じるコンテンツ表示装置の実施例に関する概略的な構成図である。図1に図示されたように、本発明の指定ウェブサイト及び指定ウェブページ認識を通じるコンテンツ表示装置は使用者端末器(300)と、上記使用者端末器(300)と通信網を通じて接続される運営サーバー(100)と上記運営サーバー(100)と接続される各種データを貯蔵しているデータベース部(200)を含むシステムにおいて、上記運営サーバー(100)は、上記使用者端末器(300)に設置される使用者プログラムを設定して貯蔵するための使用者プログラム設定及び貯蔵部(110)と、上記使用者端末器(300)が接続してサービスを受けることができるウェブサイトデータを貯蔵し、運営ウェブサイト情報貯蔵部(120)と、広告主の広告料を精算処理するための広告主課金処理部(130)と、使用者のポイントを管理するための使用者ポイント管理部(140)を含み; 上記データベース部(200)は少なくとも一つの広告コンテンツを貯蔵するための広告データベース(210)と、上記運営サーバー(100)で指定された少なくとも一つのウェブサイト及びウェブページ情報を具備し、上記広告コンテンツと上記ウェブサイト情報及びウェブページ情報を連携して作成されるテーブルを具備しているサイトデータベース部(220)を含み; 上記使用者端末器(300)は、マウスポインタの位置を追跡し認識するための位置認識部(410)と、上記マウスのクリックなどのアクションを感知するためのマウスアクション認識部(420)と、各種キャラクターなどの形状をしコンピューター画面上でアニメーション機能を具現するための中間媒体貯蔵部(430)と、上記サイトデータベース(220)に貯蔵されているウェブサイト情報及びウェブページ情報を認識するための指定サイト情報貯蔵部(440)と、上記使用者端末器(300)から露出される広告コンテンツの露出時間を計算するためのタイムチェック部(450)と、マウスアクションなどを設定するための使用者設定部(460)を含み、上記運営サーバー(100)と接続される使用者プログラム(400)が含まれている構成図である。
【００１６】
上記使用者端末器(300)は有線または無線インターネット通信手段を通じて上記運営サーバー(100)に接続できる端末器である。 上記使用者端末器(300)は携帯電話、スマートフォン、PDA、ノートブック、PC、テブルリッ PC、インターネット TV のうち一つであり、タッチパネルが具備された端末器である。
【００１７】
使用者が上記使用者端末器(300)で上記運営サーバー(100)から提供する運営ウェブサイトに接続する。 上記運営ウェブサイトで上記サーバー(100)の使用者プログラム設定及び貯蔵部(110)に貯蔵されている使用者プログラム(400)を上記使用者端末器(300)に設置する。 上記使用者プログラム(400)が設置された上記使用者端末器(300)で何れのウェブサイトに接続する。 上記使用者プログラム(400)の指定サイト情報認識部(440)で上記接続されたウェブサイトが上記運営サーバー(100)で指定したウェブサイトであるかをチェックする。 上記接続ウェブサイトが指定されたウェブサイトのある場合、上記マウスアクション認識部(520)で上記使用者端末器(300)のマウスから発生されるウェブサイト上でのクリックなどのアクションを感知して上記運営サーバー(100)の使用者プログラム設定及び貯蔵部(110)で上記使用者プログラム(400)に設定されるか上記使用者設定部(460)で使用者が設定したマウスのアクションであるかを判断し、設定されたアクションである場合に上記位置認識部(410)で上記アクションが発生されたマウスポインタの上記ウェブサイト上の位置を認識する。 上記認識されたマウスポインタの位置が上記使用者プログラム(400)に設定された領域である場合に上記使用者端末器(300)から上記運営サーバー(100)へ接続ウェブサイト及びウェブページ情報などを含む広告コンテンツ要請信号を送信する。 上記運営サーバー(100)では上記使用者端末器(300)からの広告コンテンツ要請信号を受信して上記広告コンテンツ要請信号に含まれている接続ウェブサイト及びウェブページ情報を上記サイトデータベースで問い合わせて上記接続ウェブサイトまたは上記ウェブページとマッチングされる広告コンテンツを上記広告データベース(210)から検索して上記使用者端末器(300)へ伝送する。 上記使用者端末器(300)は、上記運営サーバー(100)から伝送された広告コンテンツを上記接続ウェブページ上の所定位置に新しいウィンドーに出力させる。 この場合に、好ましくはアクションが発生されたマウスポインタの位置に新しいウィンドーで広告コンテンツを出力させる方が良い。 上記接続ウェブページ上で新しいウィンドーに上記広告コンテンツが全く出力されると上記使用者プログラム(400)の上記タイムチェック部(550)で上記広告コンテンツが出力されている時間をチェックし始める。 この場合に、タイマーを上記新しいウィンドーの特定位置または上記接続ウェブページの特定位置に露出させて使用者が確認できるように構成することもできる。 上記タイムチェック部(550)で上記広告コンテンツが使用者の選択によって出力が終わる時までの時間を秒単位でチェックしてタイムデータを上記運営サーバー(100)に伝送する。 上記運営サーバー(100)は上記受信されたタイムデータを上記広告主課金処理部(130)と上記使用者ポイント管理部(140)に伝送する。 上記広告主課金処理部(130)では上記受信されたタイムデータに基づいて設定された広告料を計算して貯蔵する。 この場合に、広告料は受信されたタイムデータのタイムに比例して増加させることができ、固定金額で設定することもできる。 広告料課金をタイムデータに比例して計算する場合、例えば、基本料を5秒単位で策定して 5分まで計算して貯蔵することができる。
【００１８】
上記使用者ポイント管理部(140)では上記受信されたタイムデータに基づいて使用者のポイントを計算して積立させる。 この場合に、使用者ポイントは受信されたタイムデータのタイムに比例して増加させることができ、固定ポイントに積立できるように設定することもできる。上記使用者ポイントを上記タイムデータに比例して計算する場合、基本単位を 5秒で設定して毎 5秒ごとに累積して積立させることができる。
【００１９】
上記使用者端末器(300)で使用者が遂行するマウスアクションはマウス左側ボタンの 1 クリック、2 クリックまたは 3 クリックなどで設定することができる。 また、上記感知されたマウスアクションが設定されたアクションである場合に上記位置認識部(410)で上記アクションが発生されたマウスポインタの上記ウェブサイト上の設定された位置を認識することは、上記設定された位置が上記接続されたウェブサイトのウェブページ上の空の余白または特定位置などに設定することができる。
【００２０】
上記と別の実施例として、本発明の指定ウェブサイト及び指定ウェブページ認識を通じるコンテンツ表示装置は、上記使用者プログラム(400)が設置された上記使用者端末器(300)で何れのウェブサイトに接続する。 上記使用者プログラム(400)の指定サイト情報認識部(440)で上記接続したウェブサイトが上記運営サーバー(100)で指定したウェブサイトであるかをチェックする。 上記接続ウェブサイトが指定されたウェブサイトである場合に使用者の接続したウェブページが上記接続ウェブサイト内の上記運営サーバー(100)で指定したウェブページであるかをチェックする。 現在接続されたウェブページが指定されたウェブページである場合に上記使用者プログラム(400)の中間媒体貯蔵部(540)に貯蔵されているキャラクター状の中間媒体を上記ウェブページ上に出力させる。 上記使用者端末器(300)で上記中間媒体に信号入力があるか設定された日程時間が経過されると、上記使用者端末器(300)で上記運営サーバー(100)へ接続ウェブサイト及びウェブページ情報などを含む広告コンテンツ要請信号を伝送する。 以後の作用は上述された実施例と等しく構成される。上記接続されたウェブページに出力される中間媒体は上記運営サーバー(100)に中間媒体貯蔵部を更に具備し、上記運営サーバー(100)から上記使用者端末器(300)に伝送して上記接続されたウェブページ上に出力させられる。 また、上記中間媒体は蝶、燈台明り、鯨、飛行機、自動車、落下傘などのキャラクターで具現することができ、其らが上記接続されたウェブページ上で動くアニメーション効果を具現可能に構成される。 また、上記中間媒体に信号入力があるか設定時間が経過すると上記運営サーバー(100)で指定されたイベントを上記ウェブページ上で発生可能にし、上記イベントが終了されか信号入力がある場合に上記運営サーバー(100)で広告コンテンツを送信して上記ウェブページ上に出力させることができる。
【００２１】
上記本発明の実施例で使用者が出力された広告コンテンツを見る場合、上述されたようにポイントを積立させることができ、贈り物イベント自動応募になるように構成することもできる。
【００２２】
図2は、上記サイトデータベース(220)に貯蔵されている指定ウェブサイトまたは指定ウェブページと広告コンテンツをマッチングして作成されたテーブルの実施例である。図2に図示されたように、本発明のサイトデータベース(220)に貯蔵されたテーブルは指定ウェブサイト、例えば、abcd.comの指定ウェブページであるメーンページは「ABC スマートフォン」と言う広告コンテンツがマッチングされており、使用者が上記指定ウェブサイトのメーンページで「ABC スマートフォン」 広告コンテンツを見る場合、10ポイントを積立させてくれる方式である。 また、上記指定ウェブページ abcd.comの指定ウェブページニュースページには「ウリPMP」と係わる広告コンテンツをマッチングさせておき、使用者が上記広告コンテンツを見た時に 5 ポイントを積立させてくれる方式で作成されたテーブルである。 使用者端末器(300)から広告コンテンツ要請信号が受信されると、上記広告コンテンツ要請信号に含まれている指定ウェブサイト及びウェブページ情報に基づいて上記テーブルで該当される指定ウェブサイト及びウェブページ情報にマッチングされている広告コンテンツを問い合わせて上記使用者端末器(300)に送信可能に構成されている。
【００２３】
図3は、本発明の指定ウェブサイト及び指定ウェブページ認識を通じるコンテンツ表示方法の実施例を説明するための流れ図である。 図3に図示されたように、本発明の指定ウェブサイト及び指定ウェブページ認識を通じるコンテンツ表示方法は、使用者端末器で何れのウェブサイトに接続する段階(S100)と、上記使用者端末器で上記接続されたウェブサイトが運営サーバーに貯蔵されている指定ウェブサイトと一致するかを判断する段階(S102)と、指定ウェブサイトである場合に上記使用者端末器で現在接続されているウェブページ情報を認識する段階(S104)と、上記使用者端末器で接続されたウェブページ上でのマウスのアクションを感知する段階(S106)と、上記使用者端末器で上記感知されたマウスアクションが設定されたアクションであるかを判断する段階(S108)と、上記マウスアクションが設定されたアクションであると判断された場合に上記使用者端末器で上記マウスポインタの上記ウェブページ上の位置が指定された位置であるかを判断する段階(S110)と、上記アクションが発生したマウスポインタの位置が指定された位置である場合に上記接続されたウェブページ上で新しいウィンドーに広告コンテンツを出力させる段階(S112)と、上記使用者端末器で上記新しいウィンドーに全体広告コンテンツの露出が完了されたかを判断する段階(S114)と、上記新しいウィンドーに広告コンテンツの露出が完了された場合、上記使用者端末器で広告コンテンツ露出時間をチェックする段階(S116)と、上記使用者端末器で上記広告コンテンツ露出時間が設定された時間以上であるかを判断する段階(S118)と、上記広告コンテンツが設定時間以上に露出されていると判断された場合、上記使用者端末器で広告コンテンツ露出が終了されたかを判断する段階(S120)と、上記接続されたウェブページ上で広告コンテンツの露出が終了された場合に上記使用者端末器で感知された広告コンテンツ露出時間に関するタイムデータを上記運営サーバーに送信する段階(S122)と、上記運営サーバーで上記使用者端末器から送信されたタイムデータに基づいて広告料と使用者ポイントを計算して貯蔵する段階(S124)を含む。
【００２４】
上記指定ウェブサイトであるかを判断する段階(S102)は、上記運営サーバーのデータベースに貯蔵されている指定ウェブサイト情報と同一なデータを上記使用者端末器に貯蔵しており、上記接続したウェブサイト住所情報と上記貯蔵されているデータと一致するが否かを判断するように構成される。 または、上記使用者端末器で上記接続されたウェブサイト住所情報を上記運営サーバーに送信し、上記運営サーバーは受信されたウェブサイト住所情報を上記データベースに問い合わせて一致するか否かを把握した後、その結果を上記使用者端末器に送信可能に構成される。
【００２５】
上記使用者端末器でマウスのアクションが設定されたアクションであるかを判断する段階(S108)は、上記運営サーバーまたは上記使用者端末器に設定されたアクションとして、例えば、マウスの左側ボタンを 1回クリック、2回クリックまたは 3回クリックのようなアクションを感知する段階である。
【００２６】
上記広告コンテンツ露出段階(S112)は、上記使用者端末器で上記接続されたウェブサイト及びウェブページ情報が含まれた広告コンテンツ要請信号を上記運営サーバーに送信する段階と、上記運営サーバーで上記使用者端末器から受信された上記ウェブサイト情報及びウェブページ情報に基づいてデータベースに上記ウェブサイト情報及びウェブページ情報とマッチングされた広告コンテンツを問い合う段階と、上記運営サーバーで問い合わせた広告コンテンツを上記使用者端末器に送信する段階と上記使用者端末器で上記広告コンテンツを受信して新しいウィンドーに出力させる段階を含まれるように構成される。
【００２７】
上記全体広告コンテンツの露出完了を判断する段階(S114)は、上記使用者端末器の仕様またはインターネット通信環境に応じて、新しいウィンドーに広告コンテンツの全体が出力される時間が異なる。 全体広告コンテンツが露出されない状態で露出時間をチェックして広告料を課金し、使用者ポイントを計算して積立させることは広告主に不利益であるから、上記使用者端末器で全体広告コンテンツが露出された後から露出時間をチェックするための段階である。
【００２８】
上記広告コンテンツ露出時間が設定時間以上であるかを判断する段階(S118)は、例えば、広告効果問題で広告コンテンツの露出時間が5秒以上持続されると広告料を課金し、使用者ポイントを積立させるための段階である。
【００２９】
図4は、本発明の指定ウェブサイト及び指定ウェブページ認識を通じるコンテンツ表示方法の別の実施例を説明するための流れ図である。 図4に図示されたように、本発明の指定ウェブサイト及び指定ウェブページ認識を通じるコンテンツ表示方法は、使用者端末器で何れのウェブサイトに接続する段階(S200)と、上記使用者端末器で上記接続されたウェブサイトが運営サーバーに貯蔵されている指定ウェブサイトと一致するか否かを判断する段階(S202)と、指定ウェブサイトである場合に上記使用者端末器で現在接続されているウェブページの情報を認識する段階(S204)と、上記使用者端末器で上記認識されたウェブページが指定されたウェブページであるか否かを判断する段階(S206)と、上記ウェブページが指定されたウェブページである場合に上記使用者端末器で上記現在接続されたウェブページ上に中間媒体を出力させる段階(S208)と、上記使用者端末器で上記ウェブページ上に出力された中間媒体に信号入力があるか設定された時間が経過するかどうかを判断する段階(S210)と、上記中間媒体に信号入力がある場合に上記接続されたウェブページ上に新しいウィンドーで広告コンテンツを出力させる段階(S212)と、上記使用者端末器で上記新しいウィンドーに全体広告コンテンツの露出が完了されているか否かを判断する段階(S214)と、上記新しいウィンドーに広告コンテンツの露出が完了された場合に上記使用者端末器で広告コンテンツ露出時間をチェックする段階(S216)と、上記使用者端末器で上記広告コンテンツ露出時間が設定された時間以上であるかを判断する段階(S218)と、上記広告コンテンツが設定時間以上に露出されていると判断された場合、上記使用者端末器で広告コンテンツ露出が終了されているか判断する段階(S220)と、上記接続されたウェブページ上で広告コンテンツの露出が終了された場合、上記使用者端末器で感知された広告コンテンツ露出時間に関するタイムデータを上記運営サーバーに送信する段階(S222)と、上記運営サーバーで上記使用者端末器から送信されたタイムデータに基づいて広告料と使用者ポイントを計算して貯蔵する段階(224)が含まれる。
【００３０】
上述された本発明の別の実施例で、上記図3の実施例のような構成はその説明を省略する。
【００３１】
上記指定ウェブページであるかを判断する段階(S206)は、上記運営サーバーのデータベースに貯蔵されている指定ウェブページ情報と同一なデータを上記使用者端末器に貯蔵しており、上記接続したウェブページ住所情報と上記貯蔵されているデータと一致するかを判断可能に構成される。 また、上記使用者端末器で上記接続されたウェブページ住所情報を上記運営サーバーに送信し、上記運営サーバーは受信されたウェブページ住所情報を上記データベースに問い合わせして一致するかを把握した後、その結果を上記使用者端末器に送信可能に構成される。
【００３２】
上記中間媒体出力段階(S208)は、上記使用者端末器に上記指定ウェブページ情報と連携されて貯蔵された多様な形態のキャラクターの中、少なくとも一つを上記接続されたウェブページ上に出力させる段階で構成される。また、上記運営サーバーに上記指定ウェブページ情報と連携されて貯蔵された多様な形態のキャラクターの中、少なくとも一つを上記使用者端末器から要請信号を受けて伝送し上記使用者端末器で上記接続されたウェブページ上に出力させる段階で構成される。また、上記中間媒体はアニメーション効果を示して上記ウェブページ上で動くように構成される。
【００３３】
上記中間媒体に信号入力があるか設定時間の経過するかどうかを判断する段階(S210)は使用者端末器で上記出力されている中間媒体をクリックするか、タッチする信号が入力されているかを感知するか、上記運営サーバー(100)で上記中間媒体に設定されている時間が経過するかを感知する段階で構成される。
【００３４】
また、上記中間媒体に信号入力があるか設定時間が経過すると上記運営サーバー(100)で指定されたイベントを上記ウェブページ上で発生可能にして、上記イベントが終了されるか信号入力がある場合に上記運営サーバー(100)で広告コンテンツを送信して上記ウェブページ上に出力させられる。
【００３５】
以上から説明された本発明の指定ウェブサイト及び指定ウェブページ認識を通じるコンテンツ表示装置及び方法は多様な実施例の中一部に該当する。 少なくとも一つの特定ウェブサイト及びウェブページを指定して、上記指定されたウェブサイト及びウェブページに関連された広告コンテンツをマッチングさせておき、使用者端末器で指定されたウェブサイトのウェブページ上の余白のような設定された領域に設定されたマウスアクションが感知される場合に上記ウェブサイトのウェブページとマッチングされた広告コンテンツを出力させる技術的思想と、少なくとも一つの特定ウェブサイト及びウェブページを指定して、上記指定されたウェブサイト及びウェブページに関連された広告コンテンツをマッチングさせておき、使用者端末器で指定されたウェブサイトに接続されるとアニメーションキャラクターのような中間媒体を出力させ、上記中間媒体に信号入力があると上記ウェブサイトのウェブページとマッチングされた広告コンテンツを出力させる技術的思想に該当する多様な実施例も本発明の保護範囲に含まれることは当然である。
【産業上の利用可能性】
【００３６】
インターネット広告媒体で利用することができる。
【図１】
2013533560.tif 000003
【図２】
2013533560.tif 000004
【図３】
2013533560.tif 000005
【図４】
2013533560.tif 000006
【国際調査報告】
2013533560.tif 000007
2013533560.tif 000008
2013533560.tif 000009
2013533560.tif 000010